(57)【要約】      （修正有）【課題】端子位置保証部材を様々なコネクタハウジングに対して使用可能にし、このことにより製造コストおよび在庫管理コストを低減する、複数のラッチを有する端子位置保証部材を提供する。【解決手段】電気コネクタと共に使用するための端子位置保証部材１２は、端子係合突起を有する端子係合部４０を含む。端子係合部から、少なくとも１つの第１のラッチアーム５０ａ、５０ｂが延びる。端子係合部から少なくとも１つの第２のラッチアーム６０ａ、６０ｂが延び、これは少なくとも１つの第１のラッチアームから離間されている。少なくとも１つの第１のラッチアームが第１の電気コネクタ１０の一部分に係合して、端子位置保証部材を第１の電気コネクタに固定し、または、少なくとも１つの第２のラッチアームが第２の電気コネクタの一部分に係合して、端子位置保証部材を第２の電気コネクタに固定する。【選択図】図１
2020149969.tif 000002
【特許請求の範囲】
【請求項１】
電気コネクタと共に使用するための端子位置保証部材（１２、１１２）であって、
前記端子位置保証部材（１２、１１２）は、
-  端子係合突起（４６、１４６）を有する端子係合部（４０、１４０）と、
-  前記端子係合部（４０、１４０）から延びる少なくとも１つの第１のラッチアーム（５０ａ、５０ｂ、１５０ａ、１５０ｂ）と、
-  前記端子係合部（４０、１４０）から延び、前記少なくとも１つの第１のラッチアーム（５０ａ、５０ｂ、１５０ａ、１５０ｂ）から離間されている少なくとも１つの第２のラッチアーム（６０ａ、６０ｂ、１６０）と、を備え、
前記少なくとも１つの第１のラッチアーム（５０ａ、５０ｂ、１５０ａ、１５０ｂ）は、第１の電気コネクタ（１０）の一部分に係合して前記端子位置保証部材（１２、１１２）を前記第１の電気コネクタ（１０）に固定し、または、前記少なくとも１つの第２のラッチアーム（６０ａ、６０ｂ、１６０）は、第２の電気コネクタ（１１０）の一部分に係合して前記端子位置保証部材（１２、１１２）を前記第２の電気コネクタ（１１０）に固定する、
端子位置保証部材（１２、１１２）。
【請求項２】
前記端子係合部（４０、１４０）は第１の表面（４２、１４２）と第２の表面（４４、１４４）を有する、
請求項１に記載の端子位置保証部材（１２、１１２）。
【請求項３】
前記端子係合突起（４６、１４６）は前記電気コネクタ（１０、１１０）の端子受入れキャビティ（２４、１２４）内に位置決めされるように構成されている、
請求項２に記載の端子位置保証部材（１２、１１２）。
【請求項４】
前記少なくとも１つの第１のラッチアーム（５０ａ、５０ｂ、１５０ａ、１５０ｂ）は、前記端子係合部（４０、１４０）から、前記第２の表面（４４、１４４）から離れる方向へ延びる、
請求項２に記載の端子位置保証部材（１２、１１２）。
【請求項５】
前記少なくとも１つの第１のラッチアーム（５０ａ、５０ｂ、１５０ａ、１５０ｂ）は、導入表面（５２ａ、５２ｂ、１５２ａ、１５２ｂ）とロック用肩部（５４ａ、５４ｂ、１５４ａ、１５４ｂ）とを有する、
請求項４に記載の端子位置保証部材（１２、１１２）。
【請求項６】
前記少なくとも１つの第１のラッチアーム（５０ａ、５０ｂ、１５０ａ、１５０ｂ）は、前記端子位置保証部材（１２、１１２）の側面（５６、２５６）の近くにある１対の第１のラッチアーム（５０ａ、５０ｂ、１５０ａ、１５０ｂ）であり、
前記１対の第１のラッチアーム（５０ａ、５０ｂ、１５０ａ、１５０ｂ）の一方の第１のラッチアーム（５０ａ、５０ｂ、１５０ａ、１５０ｂ）の前記ロック用肩部（５４ａ、５４ｂ、１５４ａ、１５４ｂ）は、前記１対の第１のラッチアーム（５０ａ、５０ｂ、１５０ａ、１５０ｂ）の他方の第１のラッチアーム（５０ａ、５０ｂ、１５０ａ、１５０ｂ）の方へ内側を向いている、
請求項５に記載の端子位置保証部材（１２、１１２）。
【請求項７】
前記少なくとも１つの第２のラッチアーム（６０ａ、６０ｂ、１６０）は、前記端子係合部（４０、１４０）から、前記第２の表面（４４、１４４）から離れる方向へ延びる、
請求項４に記載の端子位置保証部材（１２、１１２）。
【請求項８】
前記少なくとも１つの第２のラッチアーム（６０ａ、６０ｂ、１６０）は、導入表面（６２ａ、６２ｂ、１６２）とロック用肩部（６４ａ、６４ｂ、１６４）とを有する、
請求項７に記載の端子位置保証部材（１２、１１２）。
【請求項９】
前記少なくとも１つの第２のラッチアーム（６０ａ、６０ｂ）は前記端子位置保証部材（１２）の側面（５６）から離間された１対の第２のラッチアーム（６０ａ、６０ｂ）であり、
前記１対の第２のラッチアーム（６０ａ、６０ｂ）の一方の第２のラッチアーム（６０ａ、６０ｂ）の前記ロック用肩部は、前記１対の第２のラッチアーム（６０ａ、６０ｂ）の他方の第２のラッチアーム（６０ａ、６０ｂ）の方へ内側を向いている、
請求項８に記載の端子位置保証部材（１２）。
【請求項１０】
前記少なくとも１つの第１のラッチアーム（５０ａ、５０ｂ、１５０ａ、１５０ｂ）は第１の長さ（Ｌ１）を有し、前記少なくとも１つの第２のラッチアーム（６０ａ、６０ｂ、１６０）は第２の長さ（Ｌ２）を有し、前記第２の長さ（Ｌ２）は前記第１の長さ（Ｌ１）よりも大きい、
請求項１に記載の端子位置保証部材（１２、１１２）。
【請求項１１】
前記少なくとも１つの第１のラッチアーム（５０ａ、５０ｂ、１５０ａ、１５０ｂ）は、前記少なくとも１つの第１のラッチアーム（５０ａ、５０ｂ、１５０ａ、１５０ｂ）の弾性または可撓性を増大するための凹部（５８、１５８）を有する、
請求項１に記載の端子位置保証部材（１２、１１２）。
【請求項１２】
前記少なくとも１つの第２のラッチアーム（６０ａ、６０ｂ、１６０ａ、１６０ｂ）は、前記少なくとも１つの第２のラッチアーム（６０ａ、６０ｂ、１６０ａ、１６０ｂ）の弾性または可撓性を増大するための凹部（６８、１６８）を有する、
請求項１に記載の端子位置保証部材（１２、１１２）。
【請求項１３】
前記端子位置保証部材（１２、１１２）は非導電性の絶縁体材料で製作される、
請求項１に記載の端子位置保証部材（１２、１１２）。
【発明の詳細な説明】
【技術分野】
【０００１】
本発明は端子位置保証部材を対象とする。特に、本発明は、端子位置保証部材を様々なコネクタハウジングに対して使用可能にするための複数のラッチを有する、端子位置保証部材を対象とする。
【背景技術】
【０００２】
マルチピン接続用に様々な電気コネクタが設計されている。電気コネクタは、ワイヤで終端されるかまたは回路基板に取り付けられる相手側コネクタに嵌合させることができる。そのようなマルチピンコネクタの組み立ては一般に、端子をワイヤに連結し、次いでその端子をコネクタハウジングの端子受入れキャビティ内に装填することによって行われる。一般に、端子表面および／またはキャビティ内には保持機構が存在し、これらの保持機構は、端子がキャビティの長さの範囲内の指定位置に到達すると係合されて、コネクタの使用中に端子が誤ってキャビティから後退して外れることを防止する。保持機構が正しく機能しないまたは保持機構に適切に係合するのに十分な深さまで端子がキャビティに挿入されなかった場合などに、端子がキャビティから出るのを保持機構が防止できないことがある。
それぞれの端子がキャビティ内で適切に保持されていなければ、電気コネクタを相手側コネクタに嵌合させるときに、対応する相手側端子が対象の端子に適切に接続されない場合がある。例えば、入ってくる相手側端子により端子がハウジングの外へ押し戻されて、端子と相手側端子の間の適切な電気接続が妨げられる場合がある。コネクタのハウジング内に多数の端子が位置決めされ得るが、ただ一箇所の電気接続が不完全であっても、コネクタシステム全体およびそれらが接続するデバイスの機能性が損なわれる可能性がある。
【発明の概要】
【発明が解決しようとする課題】
【０００３】
当技術分野における電気コネクタは、制約デバイスまたは端子位置保証デバイスを追加することによって、端子がキャビティ内で誤って移動するのを防止することに取り組んできた。例えば、ハウジングの背部に、障壁として機能するおよび／または指定位置にないどのような端子も対応するキャビティ内へ指定位置に向けて更に押し込むように構成されているデバイスを追加することができる。多くの場合、そのような端子位置保証部材は、端子をキャビティに挿入する方向でコネクタハウジングに挿入されて、端子キャビティ内に配設されている電気端子の引き抜きを防止する、別個の部材である。知られている端子位置保証部材は有益ではあるが、構成の異なる各ハウジングに対して異なる構成の端子位置保証部材が必要であり、この結果、端子位置保証部材の製造には、多くの異なる部品数および多くの型が要求されることになる。
【０００４】
したがって、端子位置保証部材を様々なコネクタハウジングに対して使用可能にし、このことにより製造コストおよび在庫管理コストを低減する、複数のラッチを有する端子位置保証部材を提供することが有益であろう。
【課題を解決するための手段】
【０００５】
この解決法は、電気コネクタと共に使用するための端子位置保証部材によって提供される。端子位置保証部材は、端子係合突起を有する端子係合部を含む。端子係合部から、少なくとも１つの第１のラッチアームが延びる。端子係合部から少なくとも１つの第２のラッチアームが延び、これは少なくとも１つの第１のラッチアームから離間されている。少なくとも１つの第１のラッチアームが第１の電気コネクタの一部分に係合して、端子位置保証部材を第１の電気コネクタに固定し、または、少なくとも１つの第２のラッチアームが第２の電気コネクタの一部分に係合して、端子位置保証部材を第２の電気コネクタに固定する。
【０００６】
ここで本発明について以下の図面を参照して例示により記載する。
【図面の簡単な説明】
【０００７】
【図１】例示的なレセプタクルコネクタと本発明の例示的な端子位置保証部材の斜視図であり、両者は分離した状態で示されている。
【図２】図１に示した端子位置保証部材の斜視図であり、レセプタクルコネクタと嵌合されている状態を示している。
【図３】図２の線３−３に沿った断面図である。
【図４】図１に示した端子位置保証部材の斜視図であり、プラグコネクタから分離した状態を示している。
【図５】図１に示した端子位置保証部材の斜視図であり、プラグコネクタと嵌合されている状態を示している。
【図６】例示的なレセプタクルコネクタと本発明の代替の例示的な端子位置保証部材の斜視図であり、両者は分離した状態で示されている。
【図７】図６に示した端子位置保証部材の斜視図であり、レセプタクルコネクタと嵌合されている状態を示している。
【図８】図６に示した端子位置保証部材の斜視図であり、プラグコネクタから分離した状態を示している。
【図９】図６に示した端子位置保証部材の斜視図であり、プラグコネクタと嵌合されている状態を示している。
【発明を実施するための形態】
【０００８】
図１を参照すると、電気コネクタ１０および端子位置保証部材１２が間隔を開けて示されている。示されている例示的な実施形態では、電気コネクタ１０はレセプタクルコネクタである。別法として、電気コネクタ１０はプラグコネクタであってもよい。
【０００９】
電気コネクタ１０は、表面１８と背面２０とを有するハウジング１６を有する。ハウジング１６の前部１８は、相手側コネクタと接合するように構成されている。ハウジング１６はまた、ハウジング１６が相手側コネクタ１４に連結するのを可能にする、１つまたは複数の連結機構２２も含み得る。例えば、連結機構２２は、１つまたは複数のラッチ、ラッチ受入れ溝、または突起などを含んでもよい。
【００１０】
電気コネクタ１０のハウジング１６は、中に端子２６（図３）が受け入れられる複数の端子受入れキャビティ２４を有する。端子受入れキャビティ２４は、ハウジング１６の背部２０から前部１８まで延びる。端子受入れキャビティ２４は、ハウジング１６の背部２０と前部１８の間に互いに平行に配向されてもよい。
【００１１】
示されている例示的な実施形態では、ハウジング１６は３つの端子受入れキャビティ２４を有する。端子２６は、相手側コネクタの対応する相手側端子に物理的および電気的に接続するように構成されてもよい。端子２６の具体的な構成は、本発明の範囲から逸脱しない範囲で様々であり得る。
【００１２】
端子２６は、ハウジング１６の背部２０から延びるワイヤまたはケーブル３０に圧着、はんだ付け、絶縁除去などによって終端される、ワイヤ終端部２８を有する。電力、データ、および／または制御信号を伝送するために、複数の端子２６を使用してもよい。電気コネクタ１０の単一の端子２６が相手側コネクタの対応する相手側端子に適正に係合できない場合、これら２つの端子間の信号経路が損なわれる可能性がある。また更に、この損なわれた信号経路は、コネクタ１０内の異なる端子に沿った他の信号経路をも妨害する可能性もある。
【００１３】
図１および図２に最もよく示されているように、固定用突起３２は、コネクタ１０のハウジング１６から延びる。固定用突起３２は、固定用突起３２をハウジング１６に一体に固定する、取付部分３４を有する。
【００１４】
図１および図３に最もよく示されているように、端子位置保証部材１２は、第１の表面４２と第２の表面４４とを有する端子係合部４０を有する。端子位置保証部材１２は、限定するものではないが、ゴム、プラスチック、および／または熱可塑性ポリマーなどの、非導電性の絶縁体材料で構成することができる。
【００１５】
第１の表面４２から、第２の表面４４から離れる方向へ、端子係合突起４６が延びる。端子係合突起４６は、端子受入れキャビティ２４内に位置決めされて端子２６の適切な位置決めを保証するように構成されている。
【００１６】
端子係合部４０から、第２の表面４４から離れる方向へ、第１のラッチアーム５０が延びる。第１のラッチアーム５０は、導入表面５２とロック用肩部５４とを有する。第１のラッチアーム５０は長さＬ１を有する。示されている例示的な実施形態では、端子位置保証部材１２の側面５６の近くに、１対の第１のラッチアーム５０が設けられている。第１のラッチアーム５０ａのロック用肩部５４ａは、第１のラッチアーム５０ｂの方へ内側を向いている。第１のラッチアーム５０ｂのロック用肩部５４ｂは、第１のラッチアーム５０ａの方へ内側を向いている。
【００１７】
端子係合部４０から、第２の表面４４から離れる方向へ、第２のラッチアーム６０が延びる。第２のラッチアーム６０は、導入表面６２とロック用肩部６４とを有する。第２のラッチアーム６０は長さＬ２を有する。第２のラッチアーム６０の長さＬ２は、第１のラッチアーム５０の長さＬ１よりも長い。示されている例示的な実施形態では、１対の第２のラッチアーム６０が端子位置保証部材１２の側面５６から離間して設けられて、第２のラッチアーム６０が第１のラッチアーム５０同士の間に位置決めされるようになっている。第２のラッチアーム６０ａのロック用肩部６４ａは、第２のラッチアーム６０ｂの方へ内側を向いている。第２のラッチアーム６０ｂのロック用肩部６４ｂは、第２のラッチアーム６０ａの方へ内側を向いている。
【００１８】
図１から図３に示す実施形態では、端子位置保証部材１２がハウジング１６と係合するよう移動される際に、端子係合突起４６が端子受入れキャビティ２４内に位置決めされ、端子受入れキャビティ２４内での端子２６の適切な配置を容易にするが、このことは当技術分野で公知である。このことが行われる際、第１のラッチアーム５０の導入表面５２が固定用突起３２の取付部分３４に係合し、第１のラッチアーム５０を弾性変形させる。挿入を続けると、ロック用肩部５４が取付部分３４を越え、第１のラッチアーム５０がその応力のかかっていない位置に向かって戻ることが可能になり、このことにより端子位置保証部材１２がハウジング１６に固定される。
【００１９】
端子２６が端子受入れ通路２４内に適切に設置されていない場合、端子位置保証部材１２はハウジング１６内に適切に位置決めされないことになる。端子２６が端子受入れ通路２４内に適切に設置されていない場合、第１のラッチアーム５０の固定用突起３２への固定が妨げられ、このことにより、端子が適切に位置決めされていないことが視覚的に示される。
【００２０】
図４を参照すると、電気コネクタ１１０および端子位置保証部材１２が間隔を開けて示されている。示されている例示的な実施形態では、電気コネクタ１１０はプラグコネクタである。別法として、電気コネクタ１１０はレセプタクルコネクタであってもよい。
【００２１】
電気コネクタ１１０は、表面１１８と背面１２０とを有するハウジング１１６を有する。ハウジング１１６の前部１１８は、相手側コネクタと接合するように構成されている。ハウジング１１６はまた、ハウジング１６が相手側コネクタ１１４に連結するのを可能にする、１つまたは複数の連結機構１２２も含み得る。例えば、連結機構１２２は、１つまたは複数のラッチ、ラッチ受入れ溝、または突起などを含んでもよい。
【００２２】
電気コネクタ１１０のハウジング１１６は、中に端子が受け入れられる複数の端子受入れキャビティ１２４を有する。示されている例示的な実施形態では、ハウジング１１６は３つの端子受入れキャビティ１２４を有する。これらの端子は既に記載した端子と同様である。
【００２３】
図４および図５に最もよく示されているように、ラッチ１３２は、コネクタ１１０のハウジング１１６から延びる。ラッチ１３２は、コネクタをパネル（図示せず）などの中に固定するために使用される。ラッチ１３２は、ラッチ１３２をハウジング１１６に一体に固定する前方取付部分１３４を有する。
【００２４】
図４および図５に示す実施形態では、端子位置保証部材１２がハウジング１１６と係合するよう移動される際に、端子係合突起４６が端子受入れキャビティ２４内に位置決めされ、端子受入れキャビティ２４内での端子の適切な配置を容易にするが、このことは当技術分野で公知である。このことが行われる際、第２のラッチアーム６０の導入表面６２がラッチ１３２の取付部分１３４に係合し、第２のラッチアーム６０を弾性変形させる。挿入を続けると、ロック用肩部６４が取付部分１３４を越え、第２のラッチアーム６０がその応力のかかっていない位置に向かって戻ることが可能になり、このことにより端子位置保証部材１２がハウジング１１６に固定される。
【００２５】
端子が端子受入れ通路１２４内に適切に設置されていない場合、端子位置保証部材１２はハウジング１１６内に適切に位置決めされないことになる。端子が端子受入れ通路１２４内に適切に設置されていない場合、第２のラッチアーム６０のラッチ１３２への固定が妨げられ、このことにより、端子が適切に位置決めされていないことが視覚的に示される。
【００２６】
図６および図７を参照すると、電気コネクタ１０および端子位置保証部材１１２が間隔を開けて示されている。示されている例示的な実施形態では、電気コネクタ１０はレセプタクルコネクタである。別法として、電気コネクタ１０はプラグコネクタであってもよい。
【００２７】
端子位置保証部材１１２は、第１の表面１４２と第２の表面１４４とを有する端子係合部１４０を有する。端子位置保証部材１１２は、限定するものではないが、ゴム、プラスチック、および／または熱可塑性ポリマーなどの、非導電性の絶縁体材料で構成することができる。
【００２８】
第１の表面１４２から、第２の表面１４４から離れる方向へ、端子係合突起１４６が延びる。端子係合突起１４６は、端子受入れキャビティ２４内に位置決めされて端子の適切な位置決めを保証するように構成されている。
【００２９】
端子係合部１４０から、第２の表面１４４から離れる方向へ、第１のラッチアーム１５０が延びる。第１のラッチアーム１５０は、導入表面１５２とロック用肩部１５４とを有する。第１のラッチアーム１５０は長さＬ１を有する。示されている例示的な実施形態では、端子位置保証部材１１２の側面１５６の近くに、１対の第１のラッチアーム１５０が設けられている。第１のラッチアーム１５０ａのロック用肩部１５４ａは、第１のラッチアーム１５０ｂの方へ内側を向いている。第１のラッチアーム１５０ｂのロック用肩部１５４ｂは、第１のラッチアーム１５０ａの方へ内側を向いている。第１のラッチアーム１５０に凹部１５８を設けてもよい。凹部１５８は、第１のラッチアーム１５０の弾性または可撓性を増大するように構成されている。
【００３０】
端子係合部１４０から、第２の表面１４４から離れる方向へ、第２のラッチアーム１６０が延びる。第２のラッチアーム１６０は、導入表面１６２とロック用肩部１６４とを有する。第２のラッチアーム１６０は長さＬ２を有する。第２のラッチアーム１６０の長さＬ２は、第１のラッチアーム１５０の長さＬ１よりも長い。示されている例示的な実施形態では、第２のラッチアーム１６０が端子位置保証部材１１２の側面１５６から離間して設けられて、第２のラッチアーム１６０が第１のラッチアーム１５０同士の間に位置決めされるようになっている。第２のラッチアーム１６０に凹部１６８を設けてもよい。凹部１６８は、第２のラッチアーム１６０の弾性または可撓性を増大するように構成されている。
【００３１】
端子位置保証部材１１２がハウジング１６と係合するよう移動される際に、端子係合突起１４６が端子受入れキャビティ２４内に位置決めされ、端子受入れキャビティ２４内での端子の適切な配置を容易にするが、このことは当技術分野で公知である。このことが行われる際、第１のラッチアーム１５０の導入表面１５２が固定用突起３２の取付部分３４に係合し、第１のラッチアーム１５０を弾性変形させる。挿入を続けると、ロック用肩部１５４が取付部分３４を越え、第１のラッチアーム１５０がその応力のかかっていない位置に向かって戻ることが可能になり、このことにより端子位置保証部材１１２がハウジング１６に固定される。
【００３２】
端子が端子受入れ通路２４内に適切に設置されていない場合、端子位置保証部材１１２はハウジング１６内に適切に位置決めされないことになる。端子が端子受入れ通路２４内に適切に設置されていない場合、第１のラッチアーム１５０の固定用突起３２への固定が妨げられ、このことにより、端子が適切に位置決めされていないことが視覚的に示される。
【００３３】
図８を参照すると、電気コネクタ１１０および端子位置保証部材１１２が間隔を開けて示されている。示されている例示的な実施形態では、電気コネクタ１１０はプラグコネクタである。別法として、電気コネクタ１１０はレセプタクルコネクタであってもよい。
【００３４】
図８および図９に示す実施形態では、端子位置保証部材１１２がハウジング１１６と係合するよう移動される際に、端子係合突起１４６が端子受入れキャビティ１２４内に位置決めされ、端子受入れキャビティ１２４内での端子の適切な配置を容易にするが、このことは当技術分野で公知である。このことが行われる際、第２のラッチアーム１６０の導入表面１６２がラッチ１３２の取付部分１３４に係合し、第２のラッチアーム１６０を弾性変形させる。挿入を続けると、ロック用肩部１６４が取付部分１３４を越え、第２のラッチアーム１６０がその応力のかかっていない位置に向かって戻ることが可能になり、このことにより端子位置保証部材１１２がハウジング１１６に固定される。
【００３５】
端子が端子受入れ通路１２４内に適切に設置されていない場合、端子位置保証部材１１２はハウジング１１６内に適切に位置決めされないことになる。端子が端子受入れ通路１２４内に適切に設置されていない場合、第２のラッチアーム１６０のラッチ１３２への固定が妨げられ、このことにより、端子が適切に位置決めされていないことが視覚的に示される。
【００３６】
本発明の端子位置保証部材は、端子位置保証部材を様々なコネクタハウジングに対して使用可能にするための複数のラッチを有し、このことにより製造コストおよび在庫管理コストが低減される。
【図１】
2020149969.tif 000003
【図２】
2020149969.tif 000004
【図３】
2020149969.tif 000005
【図４】
2020149969.tif 000006
【図５】
2020149969.tif 000007
【図６】
2020149969.tif 000008
【図７】
2020149969.tif 000009
【図８】
2020149969.tif 000010
【図９】
2020149969.tif 000011
【外国語明細書】
2020149969000001.pdf